(57)【要約】【課題】  機能制限状態から電源投入された場合であっても、故障進行や他部品の故障を防止すること。【解決手段】  プリンタ部１００の異常が発生した場合、画像形成装置で実行可能な複数の機能のうち、プリンタ部１００の異常に対応する機能を制限する。機能制限されていない状態でＣＰＵ３０１の電源がオンされた場合、高圧チェック、高圧調整等を含めた準備動作を実行する。機能制限された状態でＣＰＵ３０１の電源がオンされた場合、高圧チェック、高圧調整等を省いた準備動作を実行する。【選択図】  図１０
2014209187.tif 000002
【特許請求の範囲】
【請求項１】
複数の機能を選択的に実行可能な画像形成装置であって、
画像形成ジョブを送信する第１の制御手段と、
前記第１の制御手段により送信された画像形成ジョブを受信し、画像形成動作を制御する第２の制御手段と、
前記画像形成装置の異常を検知する異常検知手段と、
前記複数の機能のうち、前記異常検知手段により検知された異常に対応する機能を制限する機能制限手段と、
前記機能制限手段により機能を制限されていない状態で前記第２の制御手段の電源がオンされた場合、第１の準備動作を実行し、前記機能制限手段により機能を制限された状態で前記第２の制御手段の電源がオンされた場合、制限された機能に対応する準備動作を前記第１の準備動作から省いた第２の準備動作を実行する実行手段と、
を有することを特徴とする画像形成装置。
【請求項２】
前記第１の制御手段は、省電力モードに移行する場合、前記第２の制御手段への電源供給を遮断することを特徴とする請求項１記載の画像形成装置。
【請求項３】
前記実行手段は、前記機能制限手段により機能を制限された状態で、且つ、前記省電力モードからの復帰時には、前記第２の準備動作を実行することを特徴とする請求項２記載の画像形成装置。
【請求項４】
前記第１の制御手段と前記第２の制御手段とは通信線で接続され、
前記省電力モードからの復帰かどうかを示す情報は、通信コマンドに含められて前記通信線を介して前記第１の制御手段から前記第２の制御手段へ送信されることを特徴とする請求項２記載の画像形成装置。
【請求項５】
前記実行手段は、前記省電力モードからの復帰かどうかを示す情報が含められるコマンドを前記第２の制御手段が受信するまで、前記第１の準備動作又は前記第２の準備動作を実行しないことを特徴とする請求項４記載の画像形成装置。
【請求項６】
前記第１の制御手段と前記第２の制御手段とは信号線で接続され、
前記省電力モードからの復帰かどうかを示す情報は、前記信号線を介して前記第１の制御手段から前記第２の制御手段へ送信されることを特徴とする請求項２記載の画像形成装置。
【請求項７】
前記実行手段は、前記機能制限手段により機能を制限された状態で、且つ、前記画像形成装置の主電源をオンされた場合は、前記第１の準備動作を実行することを特徴とする請求項１記載の画像形成装置。
【請求項８】
前記機能制限手段により制限された機能を記憶する記憶手段を更に有し、
前記実行手段は、電源オンされたことに応じて前記記憶手段に記憶された情報を読み出し、読み出された情報に基づいて前記第１の準備動作及び前記第２の準備動作のどちらを実行するかを判断することを特徴とする請求項１記載の画像形成装置。
【請求項９】
複数の機能を選択的に実行可能な画像形成装置であって、
前記画像形成装置の異常を検知する異常検知手段と、
前記複数の機能のうち、前記異常検知手段により検知された異常に対応する機能を制限する機能制限手段と、
前記画像形成装置の初期化動作を制御する制御手段と、
を有し、前記制御手段は、前記機能制限手段により機能を制限されていない状態で前記初期化動作を行う場合に第１の準備動作を実行し、前記機能制限手段により機能を制限された状態で初期化動作を行う場合、制限された機能に対応する準備動作を前記第１の準備動作から省いた第２の準備動作を実行することを特徴とする画像形成装置。
【発明の詳細な説明】
【技術分野】
【０００１】
本発明は、用紙に画像を形成する画像形成装置に関する。
【背景技術】
【０００２】
従来、原稿から画像を読み取るスキャン機能、スキャン画像を用紙にプリントするプリント機能を備えたマルチファンクションプリンタ（以降、ＭＦＰ）に代表される画像形成装置がある。これらのＭＦＰの障害の状態としては、例えばスキャン機能の場合、ランプ点灯エラー、モーターエラー等の障害状態がある。また、例えばプリント機能の場合、定着器の異常や、中間転写体の異常等の障害状態がある。
【０００３】
従来のＭＦＰでは、上記のような障害が発生した場合、遠隔地の外部コンピュータ等に障害に対応するエラーコード（Ｅコード）を通知することで、サービスマンによる修理の必要の可能性があることを、遠隔地の外部コンピュータ側のサービス拠点に知らせていた。
【０００４】
この場合、従来は、ＭＦＰの一部の機能、例えばスキャン機能部分だけでＥコードが発生していても、ＭＦＰ全体の機能を停止させていた。そのため、スキャン機能を使わなくても済むジョブ、例えば、ＭＦＰ内のハードディスクに予め格納されていたスキャン画像を選んでプリントするなどの機能さえも実行することができなかった。また、外部コンピュータからＭＦＰへ送信されたプリントデータを、単にプリントする機能も実行できなかった。
【０００５】
従って、ＭＦＰのスキャン機能の障害が発生し、その障害発生情報を遠隔地のサービス拠点に知らせたとしても、サービスマンがＭＦＰの設置場所へ来て修理を完了するまで、ＭＦＰでプリントできないダウンタイムが発生していた。
【０００６】
これらの課題を解決するために、特許文献１では、一部の機能に異常が発生したとしても、異常が発生した機能の使用を制限し、その他の機能を有効にすることが提案されている。
【０００７】
一方で、従来から、ＭＦＰにおいては、省電力モード（スリープモード）機能を備えているが、近年の一層の省電力への要求により、ＭＦＰが使用されていない時は、すぐにスリープモードへ移行し高い省エネ効果を実現している。
【０００８】
当然ながら、異常発生時の機能制限状態からスリープモードへの移行も実現する必要がある。さらに、近年のスリープモードでは、必要な部分以外の通電自体を遮断することによって、ＭＦＰの電源が切られている時とほぼ同等の省電力性を実現している。
【先行技術文献】
【特許文献】
【０００９】
【特許文献１】特開２００２−２５４７８１公報
【発明の概要】
【発明が解決しようとする課題】
【００１０】
しかしながら、スリープモードからの復帰は通常の電源オンと同等とみなされるため、スリープモードから復帰すると複写機の準備動作が実行される。このため、機能制限状態においてスリープモードから復帰する場合に、エラーが発生していない状態と同じ準備動作を実施すると、異常が発生した箇所の故障進行や他部品の故障を引き起こす可能性がある。
【００１１】
例えば、ＭＦＰの定着器を回転させる定着モータが回転しなくなった状態で、スリープモードからの復帰による定着器の準備動作を何度も実行することによって、定着器の加熱部材の故障が発生することがある。当然ながら、ユーザは、故障進行や他部品の故障が発生した場合、最初に発生したエラーを修理するよりも長い期間のダウンタイムを強いられることになる。
【００１２】
さらに、上述したように、省エネのためにスリープモードへの移行頻度が上がっている状況では、このような故障進行や他部品の故障のリスクは高くダウンタイムがさらに拡大する可能性がある。
【００１３】
そこで、本発明は、機能制限状態から電源投入された場合であっても、故障進行や他部品の故障を防止することができる画像形成装置を提供することを目的とする。
【課題を解決するための手段】
【００１４】
上記目的を達成するため、本発明に係る画像形成装置は、複数の機能を選択的に実行可能な画像形成装置であって、画像形成ジョブを送信する第１の制御手段と、前記第１の制御手段により送信された画像形成ジョブを受信し、画像形成動作を制御する第２の制御手段と、前記画像形成装置の異常を検知する異常検知手段と、前記複数の機能のうち、前記異常検知手段により検知された異常に対応する機能を制限する機能制限手段と、前記機能制限手段により機能を制限されていない状態で前記第２の制御手段の電源がオンされた場合、第１の準備動作を実行し、前記機能制限手段により機能を制限された状態で前記第２の制御手段の電源がオンされた場合、制限された機能に対応する準備動作を前記第１の準備動作から省いた第２の準備動作を実行する実行手段と、を有することを特徴とする。
【図面の簡単な説明】
【００１５】
【図１】画像形成装置の全体構成を示す図である。
【図２】制御ブロックを示す図である。
【図３】異常検知処理を示すフローチャートである。
【図４】機能制限状態への移行処理を示すフローチャートである。
【図５】画像形成装置が機能制限状態へ移行した時のＵＩ画面である。
【図６】画像形成装置が機能制限状態でジョブを受けた場合の処理を示すフローチャートである。
【図７】画像形成装置が機能制限状態でジョブを受けた時のＵＩ画面である。
【図８】画像形成装置がスリープモードに入る動作を示すフローチャートである。
【図９】コンフィグレーションのシーケンスチャートである。
【図１０】復帰モードを決定するためのフローチャートである。
【図１１】第１の実施形態におけるＣＰＵ３０１の動作を示すフローチャートである。
【図１２】第２の実施形態におけるＣＰＵ３０１の動作を示すフローチャートである。
【発明を実施するための形態】
【００１６】
（第１の実施形態）
図１は、画像形成装置の全体構成を示す図である。図２は、制御ブロックを示す図である。図１及び図２を用いて、基本的な構成を説明する。画像形成装置は、プリンタ部１００及びスキャナ部１０１を備え、コピー、プリント、及びスキャン送信など、複数の機能を選択的に実行可能である。
【００１７】
図２の制御部３００は、ＣＰＵ３０１、ＲＯＭ３０２、ＲＡＭ３０３、ＥＥＰＲＯＭ３０４、及びシリアルＩ／Ｆ３５１から構成される。また、制御部３１０はＣＰＵ３１１、ＲＯＭ３１２、ＲＡＭ３１３、シリアルＩ／Ｆ３５０等から構成される。制御部３００と制御部３１０は、通信線３５２によって接続されている。
【００１８】
操作部などのＵＩ３３０から、例えばプリント動作開始の指示（以降、ジョブ）がＣＰＵ３１１に入力されると、ＣＰＵ３１１はシリアルＩ／Ｆ３５０を介して制御部３００のＣＰＵ３０１のシリアルＩ／Ｆに対してプリント動作の開始を指示する。
【００１９】
ＣＰＵ３０１は、Ｉ／Ｏ３０７を介して接続された、定着前搬送モータ１４５、定着モータ１７３、定着後搬送モータ１４６、手差し搬送モータ１４７、排紙搬送モータＡ１４８、及び排紙搬送モータＢ１４９を駆動制御することが可能な構成である。また、ＣＰＵ３０１は、Ｉ／Ｏ３０７を介して、用紙搬送センサ１７１、レジ前搬送センサ１６０、給紙ピックアップセンサ１５２、排紙センサ１９５，１９７等の入力信号を検知することが可能である。
【００２０】
ＣＰＵ３１１は、ネットワークＩ／Ｆ３１４やファックスＩ／Ｆ３１５から入力された画像形成ジョブも受け付けることが可能な構成となっている。また、ＣＰＵ３１１は、投入されたジョブの画像を処理する画像処理部３１６を有し、画像の展開、回転等の画像処理を実施し、シリアルＩ／Ｆ３５０を通してＣＰＵ３０１へ通知する。
【００２１】
ＣＰＵ３０１は、プリンタ部１００を制御することが可能な構成となっている。プリンタ部１００は、図１に示されるように、プロセスユニット１２０、転写ベルト１３０、二次転写部１４０、レーザースキャナユニット１２２、定着器１７０を含む。
【００２２】
電源ＳＷ３６２は、制御部３００が制御する各負荷の電源スイッチとなっており、ＣＰＵ３１１はＩ／Ｏ３６０を介してこの電源ＳＷ３６２を任意にＯＦＦ／オンすることが可能である。この電源スイッチはユーザが操作することはできない。また、制御部３１０側の復帰モード通知Ｉ／Ｏ３６１は、制御部３００側の復帰モード受信Ｉ／Ｏと信号線で直接繋がっている。スキャナ部１０１は、コピーを実行する際に原稿を読み取る装置である。主電源スイッチ３３６は、画像形成装置全体の電源投入／遮断のためのスイッチである。
【００２３】
次に、基本的な画像形成動作について説明する。ＵＩ３３０からジョブが入ると、ＣＰＵ３１１はジョブを解釈しＣＰＵ３０１に対してプリント動作を指示する。ＣＰＵ３０１がＩ／Ｏ３０７を介して定着前搬送モータ１４５を駆動させることで、給紙ピックアップローラ１５１が回転駆動し、給紙カセット１５０内の用紙が１枚ずつ給紙搬送される。このとき、用紙の給紙動作が正常に行えたかをＣＰＵ３０１が給紙ピックアップセンサ１５２を用いて監視する。
【００２４】
同様に、手差しトレイ２１０からの用紙搬送について説明する。手差しトレイ２１０に用紙がセットされている状態で、ＵＩ３３０より手差しトレイ２１０上の用紙を搬送するようにと指示があると、ＣＰＵ３０１がＩ／Ｏ３０７を介して手差し搬送モータ１４７を駆動する。これによって、手差しピックアップローラ２１１が回転し、手差しトレイ２１０上の用紙が一枚ずつ給紙される。
【００２５】
給紙カセット１５０からの給紙と同様に、ＣＰＵ３０１はレジ前搬送センサ１６０を監視し給紙動作が正常に行えたかを判断する。また、手差し紙有無センサ２１４は、手差しトレイ２１０上に用紙がセットされているかを判断するためのセンサである。
【００２６】
一方で、ＣＰＵ３０１は、二次転写部１４０に用紙が到着するタイミングに間に合うように、プロセスユニット１２０での画像形成動作を開始する。プロセスユニット１２０は、感光ドラム、現像器、帯電ローラ、感光ドラムクリーナーなどによって構成されている。
【００２７】
プロセスユニット１２０では、感光ドラム表面が帯電された後、レーザースキャナユニット１２２から照射されるレーザーにより、感光ドラム上に潜像が形成される。そして、形成された潜像は、現像器内のトナーにより感光ドラム上に現像される。その後、感光ドラム上に現像されたトナー像は、一次転写部１２１において一次転写電圧を印加され、転写ベルト１３０へ転写される。転写ベルト１３０へ転写されたトナー像は、転写ベルト１３０の回転によって、二次転写部１４０へと搬送される。
【００２８】
また、ＣＰＵ３０１は、搬送ローラＡ１５３、搬送ローラＢ１５４、搬送ローラＣ１５５により搬送された用紙の位置を、レジ前搬送センサ１６０を監視することで検知する。そして、レジ前搬送センサ１６０に用紙先端が到達したタイミングに基づき、用紙先端と、転写ベルト１３０上のトナー像の先端が、二次転写部１４０で一致するように、用紙の搬送を制御する。例えば、トナー像に対して用紙が早く到着している場合には、レジ前搬送ローラ１６１で用紙を所定時間停止させた後、搬送を再開させる。
【００２９】
以上のようにして二次転写部１４０に到達した用紙とトナー像に対し、二次転写電圧を印加することにより、トナー像が用紙に転写される。二次転写後の用紙は、搬送ベルト１９０へ搬送され、その後定着器１７０へ搬送される。定着器１７０で、用紙上のトナー像が用紙に加熱定着される。
定着後の用紙先端が、用紙搬送センサ１７１に到達すると、ＣＰＵ３０１は、あらかじめＵＩ３３０から指定されているジョブ内容に従って、搬送路Ａ２３０、搬送路Ｂ２３１、及び搬送路Ｃ２３４のどちらに搬送するのかを判断する。そして、ＣＰＵ３０１は、切替部材Ａ１７２及び切替部材Ｂ１８２を切り替えることで、搬送ローラ１６２により搬送される用紙の搬送先を切り替える。
【００３０】
具体的には、ＣＰＵ３０１は、片面プリント及び両面プリントのいずれか、排紙部Ａ２００、排紙部Ｂ１９６、及び排紙部Ｃ１９９のいずれに排紙するか等に応じて、切替部材Ａ１７２及び切替部材Ｂ１８２を制御する。
【００３１】
搬送路Ｂ２３１へ搬送された用紙は、搬送ローラＥ２３２により、さらに下流へ搬送される。続いて搬送路Ｄ１８１へと搬送され排紙部Ｂ１９６、排紙部Ｃ１９９の方面へと搬送される。搬送路Ｄ１８１へと搬送された用紙は、排紙搬送モータＡによって駆動される排紙ローラＦ２４１、排紙ローラＧ２４２、及び排紙ローラＨ２４３によって搬送される。
【００３２】
排紙部Ｂ１９６への排紙命令の場合、ＣＰＵ３０１は切替部材１８３を切り替え搬送路１９３へと用紙を搬送し、排紙部Ｂ１９６へと用紙を排紙する。排紙部Ｃ１９９への排紙命令の場合は、ＣＰＵ３０１は切替部材１８３を搬送路１８４の方向へと切り替える。そして、排紙搬送モータＢによって駆動される排紙ローラＩ２４４、排紙ローラＪ２４５、排紙ローラＫ２４６によって用紙は搬送され、排紙部Ｃ１９９へと排紙される。
【００３３】
また、両面プリントの場合、用紙は搬送路Ａ２３０へと進み、両面搬送ローラＡ１６４、両面搬送ローラＢ１６５、両面搬送ローラＣ１６６、両面搬送ローラＤ１７９、及び両面搬送ローラＥ１６８によって両面反転搬送路Ｄ２３３へと搬送される。次に、用紙後端が両面搬送ローラＤ１７９を超えると、ＣＰＵ３０１は両面搬送ローラＦ１６９の方向へと切替部材１７８を切替え、ローラの駆動を逆回転させる。その後、両面搬送ローラＦ１６９、両面搬送ローラＧ１７５、両面搬送ローラＨ１７６、両面搬送ローラＩ１７７によって用紙は搬送され、搬送ローラＣ１５５へと受け渡される。
【００３４】
ジョブが全て終了すると、ＣＰＵ３０１はＣＰＵ３１１に対して終了したことを通知する。なお、上記の基本的な画像形成動作は一例であり、本発明は上記構成に限定されるものではない。
【００３５】
図３は、異常検知処理を示すフローチャートである。このフローチャートを実行するためのプログラムは、ＲＯＭ３０２に記憶されており、ＣＰＵ３０１により読み出されることにより実行される。
【００３６】
本フローチャートでは、定着モータ１７３の異常検知について説明する。本実施形態における定着モータ１７３はＤＣモータを採用しており、安定的に回転していることを安定回転検知部１７４で検知することによって、ＣＰＵ３０１はエラーかどうかを判断する。
【００３７】
まず、ジョブが開始されると、ＣＰＵ３０１は定着モータ１７３の駆動を開始する（Ｓ３０１）。次に、ＣＰＵ３０１は安定回転検知部１７４がオンするかどうかを判断する（Ｓ３０２）。オンした場合、ＣＰＵ３０１は、定着モータ１７３が安定回転したと判断し、このフローチャートによる処理を終了する。
【００３８】
一方、オンしなかった場合、ＣＰＵ３０１は定着モータ１７３の回転時間が時間Ｔｆを超えているかどうか判断し（Ｓ３０３）、超えていない場合はＳ３０２へと戻る。一方、定着モータ１７３の回転時間が時間Ｔｆを超えた場合、ＣＰＵ３０１は、定着モータ１７３が安定回転に至らなかったことからエラーを確定し（Ｓ３０４）、このフローチャートによる処理を終了する。
【００３９】
図４（ａ）は、ＣＰＵ３０１による機能制限状態への移行処理を示すフローチャートである。このフローチャートを実行するためのプログラムは、ＲＯＭ３０２に記憶されており、ＣＰＵ３０１により読み出されることにより実行される。
【００４０】
まず、ＣＰＵ３０１は、ＥＥＰＲＯＭ３０４に格納されている機能制限情報をクリアする（Ｓ４０１）。次に、ＣＰＵ３０１は、いずれかのエラーを検知するまで待つ（Ｓ４０２）。エラーを検知した場合、まずは機械の安全を考慮し、ＣＰＵ３０１は緊急停止処理を実行する（Ｓ４０３）。緊急停止処理とは、異常が発生した時に定着器１７０のヒータを強制的にＯＦＦしたり、用紙搬送制御を停止する処理を指す。
【００４１】
次に、ＣＰＵ３０１は、画像形成装置が機能制限状態に移行したことをシリアルＩ／Ｆ３５１を介してＣＰＵ３１１に通知する（Ｓ４０４）。その後、ＣＰＵ３０１は、機能制限情報をＥＥＰＲＯＭ３０４に書き込み（Ｓ４０５）、このフローチャートによる処理を終了する。
【００４２】
図４（ｂ）は、ＣＰＵ３１１による機能制限状態への移行処理を示すフローチャートである。このフローチャートを実行するためのプログラムは、ＲＯＭ３１２に記憶されており、ＣＰＵ３１１により読み出されることにより実行される。
【００４３】
まず、ＣＰＵ３１１は、ＣＰＵ３０１から機能制限情報が通知されるのを待つ（Ｓ４５１）。ＣＰＵ３０１から機能制限情報が通知されると、ＣＰＵ３１１は、ＵＩ３３０に機能制限状態に移行したことを表示し（Ｓ４５２）、このフローチャートによる処理を終了する。
【００４４】
この時のＵＩ３３０に表示される画面を図５に示す。本体再起動ボタン３４１が押下された場合は、再起動処理が行われる。一方、ＯＫボタン３４０が押下されると、機能制限状態に移行する。
【００４５】
図６は、機能制限状態でＣＰＵ３１１がＵＩ３３０やネットワークＩ／Ｆ３１４からのジョブを受けた場合の処理を示すフローチャートである。このフローチャートを実行するためのプログラムは、ＲＯＭ３１２に記憶されており、ＣＰＵ３１１により読み出されることにより実行される。
まず、ＣＰＵ３１１は、ジョブを受信するまで待つ（Ｓ６０１）。ＵＩ３３０やネットワークＩ／Ｆ３１４からジョブを受信すると、ＣＰＵ３１１は、スリープモードタイマＴｓｌｅｅｐをクリアし、時間のカウントを開始する（Ｓ６０２）。
【００４６】
スリープモードでは、ＣＰＵ３１１への電源供給は維持されたまま、ＣＰＵ３０１への電源供給が遮断される。スリープモードタイマＴｓｌｅｅｐは、スリープモードへ移行するかどうかの判断に使用される。スリープモードへの移行についての詳細は後述する。
【００４７】
次に、ＣＰＵ３１１は、ジョブで使用される機能が制限されているかどうかを判断し（Ｓ６０３）、制限されていない状態であればジョブを開始する（Ｓ６０５）。機能制限されている場合は、ＣＰＵ３１１はＵＩ３３０にジョブを実行できない旨を表示し（Ｓ６０４）、このフローチャートによる処理を終了する。
【００４８】
この時に表示されるＵＩ３３０の画面を図７に示す。ここで表１を用いて、機能制限状態になっている部分と画像形成装置として提供できる機能についての相関について説明する。
【００４９】
【表１】
2014209187.tif 000003
【００５０】
コピー機能は、スキャナ部１０１からスキャンした原稿をプリンタ部１００にて印字する機能である。プリント機能は、ネットワークＩ／Ｆ３１４を介して受信したプリントデータをプリンタ部１００にて印字する機能である。スキャン送信機能は、スキャナ部１０１にてスキャンした原稿をネットワークＩ／Ｆ３１４を介して外部のコンピュータ等にデジタルデータとして送信する機能である。スキャン保存機能とは、スキャナ部１０１にてスキャンした原稿をＲＡＭ３１３や画像形成装置のＨＤＤ（不図示）に保存する機能である。
【００５１】
ここで、プリンタ部１００が機能制限状態になると、印字することが出来なくなるので、コピー機能とプリント機能は使用することが出来なくなる。一方でスキャン送信機能とスキャン保存機能は印字する必要が無いので使用することは可能となる。一方、スキャナ部１０１が機能制限状態になると、原稿をスキャンしないで使用することが可能なプリント機能だけは使用可能だが、その他の機能は使用することが出来ない。
【００５２】
また、ネットワークＩ／Ｆ３１４が機能制限状態になると、外部との通信が不要なコピー機能とスキャン保存機能は使用可能だが、その他の機能は使用することができなくなる。このように、受信したジョブの内容が機能制限状態では実行できない時に、図７が表示されることになる。
【００５３】
図８は、画像形成装置がスリープモード（省電力モード）に入る動作を示すフローチャートである。このフローチャートを実行するためのプログラムは、ＲＯＭ３１２に記憶されており、ＣＰＵ３１１により読み出されることにより実行される。
【００５４】
まず、ＣＰＵ３１１は、ジョブを実行中かどうかを判断する（Ｓ８０１）。ジョブを実行中の場合、ＣＰＵ３１１はジョブが終了するのを待ち、ジョブが終了したらＳ８０２に進む。ジョブが終了すると、ＣＰＵ３１１はスリープモードＳＷ３３５を押下されたかどうかを判断し（Ｓ８０２）、押下されていた場合はＳ８０４へ進む。
【００５５】
スリープモードＳＷ３３５を押下されていない場合は、ＣＰＵ３１１はスリープモードタイマのカウント値Ｔｓｌｅｅｐが所定時間Ｔｈｓｌｅｅｐを超えているかどうかを判断する（Ｓ８０３）。Ｔｓｌｅｅｐ≦Ｔｈｓｌｅｅｐの場合は、ステップＳ８０１に戻る。
【００５６】
図６のＳ６０１でジョブが開始されると、スリープモードタイマＴｓｌｅｅｐはクリアされる。すなわち、スリープモードタイマがカウントを開始してから時間Ｔｈｓｌｅｅｐが経過するまでの間ＣＰＵ３１１がジョブを受信しなかった場合は、スリープモードに移行する。
【００５７】
すなわち、Ｓ８０３でＴｓｌｅｅｐ＞Ｔｈｓｌｅｅｐと判断された場合、ＣＰＵ３１１は電源ＳＷ３６２をＯＦＦする（Ｓ８０４）。これによって、制御部３００及びＣＰＵ３０１が制御する各負荷に対する電源が遮断されてスリープモードに移行し、このフローチャートによる処理を終了する。
【００５８】
図９は、ＣＰＵ３０１とＣＰＵ３１１が電源オンやスリープモード復帰時に実施するコンフィグレーションのシーケンスチャートである。ＣＰＵ３０１とＣＰＵ３１１はお互いの有する情報をコンフィグレーションで共有することによって、システムとして動作するように構成している。
【００５９】
コンフィグ開始要求Ｃ１は、ＣＰＵ３１１がコンフィグレーションを開始することをＣＰＵ３０１に通知するための通信コマンドである。これを受けたＣＰＵ３０１は、コンフィグ開始応答Ｃ２をＣＰＵ３１１に通知する。ＣＰＵ３１１は、コンフィグ開始応答Ｃ２を受けると、ＣＰＵ３０１にシステム情報通知Ｃ３を通知する。
【００６０】
システム情報通知Ｃ３は、画像形成装置としての特性として、生産性やプリンタ解像度が通知される。システム情報通知Ｃ３を受けたＣＰＵ３０１は、各特性にあった画像形成を実施する。
【００６１】
また、システム情報応答Ｃ４がＣＰＵ３１１に通知されると、次にカラー情報要求Ｃ５がＣＰＵ３０１に通知される。カラー情報要求Ｃ５は、プリンタ部１００が有する色情報を通知するためのコマンドである。例えば、フルカラー機の場合、ＣＰＵ３０１はＹＭＣＫの４色を有することをカラー情報応答Ｃ６で通知する。
【００６２】
次に、用紙情報要求Ｃ７がＣＰＵ３０１に通知される。用紙情報要求Ｃ７は、プリンタ部１００の有する給紙カセット１５０、及び給紙カセット２２０の情報の要求である。例えば、ＣＰＵ３０１は用紙のサイズや残量情報を用紙情報応答Ｃ８で通知する。
【００６３】
最後に、ＣＰＵ３１１はコンフィグ終了要求Ｃ９を通知し、ＣＰＵ３０１はコンフィグ終了応答Ｃ１０で応答することによって、コンフィグレーションは終了する。
【００６４】
次に、電源オン時やスリープモードからの復帰時に実施される準備動作として、実施している内容を表２に示す。ここでの機能制限状態としては、機能制限箇所がプリンタ部１００の場合を例に挙げて示している。
【００６５】
【表２】
2014209187.tif 000004
【００６６】
高圧チェックは、プロセスユニット１２０、転写ベルト１３０、及び二次転写部１４０等の高圧が正しく出力されるかのチェックである。高圧チェックが終了すると、高圧調整が実施される。高圧調整は、環境等に応じた高圧の出力を決めるための調整である。
【００６７】
次に、現像器初期回転は、現像器内のトナーを撹拌する動作である。また、定着器立上げは、定着器１７０のヒータに通電し、ジョブの実行が可能となるように定着器１７０の温度調節を行う動作である。
【００６８】
このような準備動作は、通常の電源オン時やスリープモードからの復帰時に実行される。しかし、プリンタ部１００の異常に伴う機能制限状態の時に実行すると、例えば定着モータ１７３が異常によって駆動しないにも関わらずヒータに通電することによって、定着器ローラ２７０が過度な熱によって溶解する可能性がある。
【００６９】
図１０は、ＣＰＵ３１１が復帰モードを決定するためのフローチャートである。このフローチャートを実行するためのプログラムは、ＲＯＭ３１２に記憶されており、ＣＰＵ３１１により読み出されることにより実行される。
【００７０】
まず、ＣＰＵ３１１は、スリープモードＳＷ３３５が押下されたかどうかを判断する（Ｓ１００１）。スリープモードＳＷ３３５が押下されている場合、ＣＰＵ３１１は、復帰モードとして第２復帰モードを決定する（Ｓ１００２）。
【００７１】
一方、スリープモードＳＷ３３５が押下されていなかった場合、ＣＰＵ３１１はジョブが投入されているかを判断する（Ｓ１００３）。ジョブが投入されている場合は、ＣＰＵ３１１はスリープモード時にジョブをネットワークＩ／Ｆ３１４から受信したと判断し、Ｓ１００２において復帰モードを第２復帰モードに決定する。
【００７２】
Ｓ１００３でジョブが投入されていない場合、ＣＰＵ３１１は復帰モードを第１復帰モードに決定する（Ｓ１００４）。第１復帰モードは、画像形成装置の主電源スイッチ３３６をオンされることにより復帰するモードである。
【００７３】
図１０のフローチャートで決定された復帰モードは、図９のコマンド通信に示されるシステム情報通知Ｃ３の中に含められ、ＣＰＵ３０１に通知される。なお、例えば、コンフィグ開始要求Ｃ１の中に復帰モードを含めて通知しても構わない。
【００７４】
図１１は、第１の実施形態におけるＣＰＵ３０１の動作を示すフローチャートである。このフローチャートを実行するためのプログラムは、ＲＯＭ３０２に記憶されており、ＣＰＵ３０１により読み出されることにより実行される。
【００７５】
まず、ＣＰＵ３０１は、電源ＳＷ３６２がオンされることによりＣＰＵ３０１へ電源が投入されると、ＥＥＰＲＯＭ３０４に記憶されている情報を読み出す（Ｓ１１０１）。そして、ＣＰＵ３０１は、ＥＥＰＲＯＭ３０４に機能制限情報が記憶されているかどうかを判断する（Ｓ１１０２）。機能制限情報が記憶されていない場合は、Ｓ１１０６へと進む。
【００７６】
一方、機能制限情報が記憶されている場合は、ＣＰＵ３０１はシステム情報通知Ｃ３がＣＰＵ３１１から通知されるのを待つ（Ｓ１１０３）。システム情報通知Ｃ３が通知されると、ＣＰＵ３０１は復帰モードが第２復帰モードかどうかを判断する（Ｓ１１０４）。
【００７７】
復帰モードが第２復帰モードの場合は、ＣＰＵ３０１は機能制限状態の準備動作を開始する（Ｓ１１０５）。例えば、プリンタ部１００の異常に伴う機能制限状態の場合、ＣＰＵ３０１はプリンタ部１００の異常に対応する準備動作を省いた準備動作を実行する。具体的には、ＣＰＵ３０１は、表２に示されるように、高圧チェック、高圧調整、現像機初期回転、及び定着器立上げの動作等を省いた準備動作を実行する。
【００７８】
一方、復帰モードが第１復帰モードの場合は、ＣＰＵ３０１は通常準備動作を開始する（Ｓ１１０６）。すなわち、ＣＰＵ３０１は、表２に示されるように、高圧チェック、高圧調整、現像機初期回転、及び定着器立上げの動作を含む準備動作を実行する。
【００７９】
以上で説明したように、本実施形態によれば、機能制限状態におけるスリープモードからの復帰において、故障進行や他部品の故障を防止することができる。
【００８０】
（第２の実施形態）
第２の実施形態では、復帰モード通知Ｉ／Ｏ３６１、復帰モード受信Ｉ／Ｏ３６３を通じて、ＣＰＵ３１１がＣＰＵ３０１に対して復帰モードを通知する実施形態である。
【００８１】
ＣＰＵ３１１は、図１０のフローチャートで復帰モードを第２復帰モードに決定した場合、復帰モード通知Ｉ／Ｏ３６１をオンする。一方、ＣＰＵ３１１は、図１０のフローチャートで復帰モードを第１復帰モードに決定した場合、復帰モード通知Ｉ／Ｏ３６１をＯＦＦする。
【００８２】
図１２は、第２の実施形態におけるＣＰＵ３０１の動作を示すフローチャートである。このフローチャートを実行するためのプログラムは、ＲＯＭ３０２に記憶されており、ＣＰＵ３０１により読み出されることにより実行される。
【００８３】
まず、ＣＰＵ３０１は、電源ＳＷ３６２がオンされることによりＣＰＵ３０１へ電源が投入されると、ＥＥＰＲＯＭ３０４に記憶されている情報を読み出す（Ｓ１２０１）。そして、ＣＰＵ３０１は、ＥＥＰＲＯＭ３０４に機能制限情報が記憶されているかどうかを判断する（Ｓ１２０２）。機能制限情報が記憶されていない場合は、Ｓ１２０５へと進む。
【００８４】
一方、機能制限情報が記憶されている場合は、ＣＰＵ３０１は復帰モード通知Ｉ／Ｏ３６１がオンかどうかを判断する（Ｓ１２０３）。復帰モード通知Ｉ／Ｏ３６１がオンの場合、復帰モードは第２復帰モードである。このため、ＣＰＵ３０１は機能制限状態の準備動作を開始する（Ｓ１２０４）。例えば、プリンタ部１００の異常に伴う機能制限状態の場合、ＣＰＵ３０１は、表２に示されるように、高圧チェック、高圧調整、現像機初期回転、及び定着器立上げの動作等を省いた準備動作を実行する。
【００８５】
一方、復帰モード通知Ｉ／Ｏ３６１がＯＦＦの場合、復帰モードは第１復帰モードである。このため、ＣＰＵ３０１は通常準備動作を開始する（Ｓ１２０５）。すなわち、ＣＰＵ３０１は、表２に示されるように、高圧チェック、高圧調整、現像機初期回転、及び定着器立上げの動作を含む準備動作を実行する。
【００８６】
上述した実施形態では、プリンタ部１００の一部（定着部）にエラーが生じた場合、プリンタ部全体が機能制限状態に移行していた。しかし、黒以外の画像形成ステーションの何れかにエラーが生じた場合、黒の画像形成ステーションの動作可能である。従って、イエロー、マゼンタ、シアン用の画像形成ステーションの何れかで、感光体ドラムを駆動するモータの故障等が発生した場合、プリンタ部全体の動作を禁止した機能制限状態ではなく、カラー画像形成を実行できない機能制限状態に移行するよう構成してもよい。この場合、プリンタ部１００はモノクロ画像形成の実行を可能である。
【００８７】
プリンタ部１００がカラー画像形成を実行できない機能制限状態に移行した場合の復帰モードが第１復帰モードである場合、イエロー、マゼンタ、シアン、ブラックの４つの画像形成ステーションの初期化動作が実行される。一方、復帰モードが第２復帰モードである場合、ブラックの画像形成ステーションの初期化動作が実行されるが、イエロー、マゼンタ、シアンの３つの画像形成ステーションの初期化動作は実行されない。
【００８８】
この様に、プリンタ部の一部の機能を使用できない機能制限状態におけるスリープモードからの復帰においても、無駄な初期化動作の実行が防止される。
【００８９】
以上で説明したように、本実施形態によっても、機能制限状態におけるスリープモードからの復帰において、故障進行や他部品の故障を防止することができる。
【００９０】
また、第２の実施形態の場合、図９からなるコマンドシーケンスではなく、リアルタイム性の高い信号線で直接判断することによって第１の実施形態よりも早く復帰モードを判断することが可能となる。このため、更なる画像形成装置のダウンタイムの削減を実現することが可能となる。
【符号の説明】
【００９１】
１００  画像形成部
１０１  スキャナ部
１７４  安定回転検知部
３００  制御部
３０１  ＣＰＵ
３０２  ＲＯＭ
３０３  ＲＡＭ
３０４  ＥＥＰＲＯＭ
３１０  制御部
３１１  ＣＰＵ
３１２  ＲＯＭ
３１３  ＲＡＭ
３３０  ＵＩ
３３５  スリープモードＳＷ
３６１  復帰モード通知Ｉ／Ｏ
３６３  復帰モード受信Ｉ／Ｏ
【図１】
2014209187.tif 000005
【図２】
2014209187.tif 000006
【図３】
2014209187.tif 000007
【図４】
2014209187.tif 000008
【図５】
2014209187.tif 000009
【図６】
2014209187.tif 000010
【図７】
2014209187.tif 000011
【図８】
2014209187.tif 000012
【図９】
2014209187.tif 000013
【図１０】
2014209187.tif 000014
【図１１】
2014209187.tif 000015
【図１２】
2014209187.tif 000016